(57)【要約】無線装置が、第１および第２送受信機を備えて、それぞれ第１および第２プロトコルに従って無線で信号を送受信する。前記無線装置は更に、第１および第２コントローラマネージャを備えて、第１および第２無線送受信機の送受信動作を協調的に制御する。種々の実施態様においては、前記無線装置は更に、少なくとも一つの時分割状態マシンを備えて、無線送受信機の協調制御を容易にする。これらの実施態様のいくつかにおいては、前記無線装置は更に、少なくとも一つの時分割機械と協動する作業負荷モニタを備えて、二つのプロトコルの送信および受信作業負荷に少なくとも部分的に基いて、協調制御を適応可能に実行する。種々の実施態様において、前記プロトコルは、Ｂｌｕｅｔｏｏｔｈ、８０２．１１  ＦＨ、８０２．１１Ｄ、８０２．１１  Ｈｉｇｈ  Ｄａｔａ  Ｒａｔｅ、ＨｏｍｅＲＦなどの選択された組み合わせが可能である。前記無線装置はまた、二つの無線ネットワークのマスタ装置またはゲートウェイ装置として用いることができる。
2004520726.tif 000002
【特許請求の範囲】
【請求項１】
それぞれ、第１および第２ワイヤレスネットワークを介して通信結合したネットワーク装置との間で、第１および第２プロトコルに従って、信号の送信と受信を行う第１および第２ワイヤレス送受信機と、
前記第１および第２ワイヤレス送受信機に結合されて、前記第１および第２ワイヤレス送受信機を制御して、前記送信と受信を協調的に行う、第１および第２制御器マネージャと、
を備えたことを特徴とする装置。
【請求項２】
前記第１および第２コントローラマネージャが、周期的に、協調的に、前記第１ワイヤレス送受信機を制御して、前記第１ワイヤレスネットワークのネットワーク装置への信号の前記送信を行う一方、前記第２ワイヤレス送受信機を制御して、前記第２ワイヤレスネットワークのネットワーク装置への信号の前記送信も、前記第２ワイヤレスネットワークのネットワーク装置からの信号の前記受信も行わないことを特徴とする請求項１に記載の装置。
【請求項３】
前記第１および第２コントローラマネージャが更に、周期的に、協調的に、前記第２ワイヤレス送受信機を制御して、前記第２ワイヤレスネットワークのネットワーク装置への信号の前記送信を行う一方、前記第１ワイヤレス送受信機を制御して、前記第１ワイヤレスネットワークのネットワーク装置への信号の前記送信も、前記第１ワイヤレスネットワークのネットワーク装置からの信号の前記受信も行わないことを特徴とする請求項２に記載の装置。
【請求項４】
前記第１および第２コントローラマネージャが、周期的に、協調的に、前記第１および第２ワイヤレス送受信機の両方を制御して、それぞれ前記第１および第２プロトコルに従って、前記第１および第２ワイヤレスネットワークのネットワーク装置からの信号の前記受信を行うことを特徴とする請求項１に記載の装置。
【請求項５】
前記第１および第２コントローラマネージャが、時分割スケジュールに従って、前記第１および第２ワイヤレス送受信機を制御して、協調的に前記送信と受信を行うことを特徴とする請求項１に記載の装置。
【請求項６】
前記第１および第２コントローラマネージャがそれぞれ第１および第２時分割状態マシンを備えると共に、前記第１および第２時分割状態マシンを相補的に構成して、前記第１および第２コントローラマネージャが、前記時分割スケジュールに従って、前記第１および第２送受信機を相補的な送信、受信および保留状態に制御するようにしたことを特徴とする請求項５に記載の装置。
【請求項７】
前記第１および第２コントローラマネージャに結合された一つの時分割状態マシンを備えて、前記第１および第２コントローラマネージャが、前記時分割スケジュールに従って、前記第１および第２送受信機を相補的な送信、受信および保留状態に制御するようにしたことを特徴とする請求項５に記載の装置。
【請求項８】
更に時分割マネージャを備えて、前記時分割スケジュールを適応可能に管理するようにしたことを特徴とする請求項７に記載の装置。
【請求項９】
前記時分割マネージャが、前記第１および第２ワイヤレスネットワークの送信または受信作業負荷に少なくとも部分的に基いて前記時分割スケジュールを適応可能に管理するようにしたことを特徴とする請求項８に記載の装置。
【請求項１０】
作業負荷モニタを備えて、前記第１および第２ワイヤレスネットワークの送信または受信作業負荷を追跡するようにしたことを特徴とする請求項９に記載の装置。
【請求項１１】
前記第１および第２プロトコルが、Ｂｌｕｅｔｏｏｔｈ、８０２．１１  ＦＨ、８０２．１１  Ｄ、８０２．１１  Ｈｉｇｈ  Ｄａｔａ  Ｒａｔｅ、およびＨｏｍｅＲＦで構成されたグループから選択された二つのプロトコルであることを特徴とする請求項１に記載の装置。
【請求項１２】
デスクトップ型とノートブック型とパームサイズ型とで構成されたグループから選択されたフォームファクタを有するコンピュータであることを特徴とする請求項１に記載の装置。
【請求項１３】
第１および第２ワイヤレス送受信機を有する装置における動作方法であって、
（ａ）周期的に、前記第１ワイヤレス送受信機を制御して、第１プロトコルに従って第１ワイヤレスネットワークのネットワーク装置への信号の送信を行う一方、第２ワイヤレス送受信機を制御して、第２プロトコルに従って第２ワイヤレスネットワークのネットワーク装置への信号の送信も、前記第２ワイヤレスネットワークのネットワーク装置からの信号の受信も行わない動作と、
（ｂ）周期的に、前記第２ワイヤレス送受信機を制御して、前記第２プロトコルに従って前記第２ワイヤレスネットワークのネットワーク装置への信号の送信を行う一方、前記第１ワイヤレス送受信機を制御して、前記第１プロトコルに従って前記第１ワイヤレスネットワークのネットワーク装置への信号の送信も、前記第１ワイヤレスネットワークのネットワーク装置からの信号の受信も行わない動作と、
を備えたことを特徴とする動作方法。
【請求項１４】
（ｃ）周期的に、前記第１および第２ワイヤレス送受信機を制御して、それぞれ前記第１および第２プロトコルに従って、前記第１および第２ワイヤレスネットワークのネットワーク装置からの信号の受信を行う動作を備えたことを特徴とする請求項１３の方法。
【請求項１５】
前記（ａ）と（ｂ）の実行周期を調整する動作を備えたことを特徴とする請求項１３の方法。
【請求項１６】
前記（ｃ）が、第１および第２ネットワークの送信または受信作業負荷に少なくとも部分的に基いて適応可能に行われることを特徴とする請求項１５の方法。
【請求項１７】
第１プロトコルに従ってワイヤレスで通信する第１装置と、
第２プロトコルに従ってワイヤレスで通信する第２装置と、
それぞれ前記第１および第２プロトコルに従って前記第１および第２装置とワイヤレスで通信すると共に、前記二つのプロトコルに従って行われた送信動作と受信動作を自動的に協調させて同時に前記第１および第２装置と協動する第３のデバイスを動作可能にする第３装置と、
を備えたことを特徴とする装置集合体。
【請求項１８】
前記第３装置が更に、前記二つのプロトコルの送信または受信作業負荷に少なくとも部分的に基いて、適応可能に前記二つのプロトコルに従って行われた送信動作と受信動作の前記自動協調を行うことを特徴とする請求項１７に記載の装置集合体。
【請求項１９】
互いにワイヤレスでネットワーク化された第１の複数の装置であって、各装置が第１プロトコルに従ってワイヤレスで通信する第１の複数の装置と、
互いにワイヤレスでネットワーク化された第２複数装置であって、各装置が第２プロトコルに従ってワイヤレスで通信する第２の複数の装置と、
それぞれ前記第１および第２プロトコルに従って前記第１および第２の複数の装置とワイヤレスで通信すると共に、前記二つのプロトコルに従って行われた送信動作と受信動作を自動的に協調させて前記第１および第２の複数の装置を同時に管理および制御するマスタ装置と、
を備えたことを特徴とするネットワーク化された装置集合体。
【請求項２０】
互いにワイヤレスでネットワーク化された第１の複数の装置であって、各装置が第１プロトコルに従ってワイヤレスで通信する第１の複数の装置と、
互いにワイヤレスでネットワーク化された第２の複数の装置であって、各装置が第２プロトコルに従ってワイヤレスで通信する第２の複数の装置と、
それぞれ前記第１および第２プロトコルに従って前記第１および第２の複数の装置とワイヤレスで通信すると共に、前記二つのプロトコルに従って行われた送信動作と受信動作を自動的に協調させて前記第１の複数の装置と第２の複数の装置の間の通信を容易にするゲートウェイ装置と、
を備えたことを特徴とするネットワーク化された装置集合体。
【発明の詳細な説明】
【０００１】
（発明の背景）
１．発明の分野
本発明はワイヤレス通信の分野に関する。より詳細には本発明は、異なるワイヤレス通信プロトコルによる複数の通信相手との同時的ワイヤレス通信の問題に関する。
【０００２】
２．背景情報
マイクロプロセッサおよび通信技術の進歩により、ワイヤレス通信は更に普及している。故に、以前は特権階級に限られていたが、ワイヤレス音声通信は一般人にも手頃で利用可能となった。ところで今日においては、プリンタ、スキャナなどの周辺機器を取付けるべく使用される取付ケーブル、ならびに、クライアント、サーバなどを接続するために使用されるネットワーク・ケーブルを置き換えるべくワイヤレス通信を応用せんとする種々の試みが為されつつある。前者を達成するための主な候補は、ブルートゥース（Ｂｌｕｅｔｏｏｔｈ）技術またはブルートゥース・プロトコルとして当業者に知られている。後者を達成するための技術の例としては、米国電気電子技術者協会により発行されたＩＥＥＥ８０２．１１規格の種々の変更版である、８０２．１１（周波数ホッピング、直接拡散［ｄｉｒｅｃｔ  ｓｅｑｕｅｎｃｅ］）、８０２．１１ａ、８０２．１ｂ、ならびに、当業者にはＳＷＡＰとしても知られたホームＲＦ（ＨｏｍｅＲＦ）が挙げられる。（エフィ，ＳＷＡＰは何を意味するか？（Ｅｐｈｉ，ｗｈａｔ  ｄｏｅｓ  ＳＷＡＰ  ｓｔａｎｄｓ  ｆｏｒ？））
【０００３】
多くの用途においては、デバイスは複数のワイヤレスプロトコルで「同時に」動作し得ることが望ましいという要望が明らかとなった。このような用途のひとつはノートブック・コンピュータを、ブルートゥース・プロトコルを以て電話、プリンタ、スキャナなどの周辺機器と通信可能とし、且つ、各８０２．１１プロトコルまたはホームＲＦのひとつに従い、ピア・コンピュータ（ｐｅｅｒ  ｃｏｍｐｕｔｅｒ）またはサーバなどの他の演算デバイス、モデムもしくはアダプタなどの通信デバイス、ならびに、ゲートウェイ、ルータ、スイッチなどのネットワーク用デバイスと通信可能とすることである。
【０００４】
ただし上記要望は、各プロトコルに対して１個の送信器となるように上記デバイスに複数の送信器を配備しただけでは満足され得ない。その理由は、これらの送信器の複数のものが同時に送信せんとすれば、それらの送信器は相互に干渉し、データの破損および／または喪失、ならびに、性能の低下に帰着するからである。
【０００５】
以下に更に詳述されるように、本発明は極めて効率的で低コストな方法で実質的にこの要望に対処する。本発明のこの利点および他の利点は、以下の説明から容易に明らかとなろう。
【０００６】
（発明の概要）
【０００７】
無線装置が、第１および第２送受信機を備えて、それぞれ第１および第２プロトコルに従って無線で信号を送受信する。前記無線装置は更に、第１および第２制御器マネージャを備えて、第１および第２無線送受信機の送受信動作を協調的に制御する。
【０００８】
種々の実施態様においては、前記無線装置は更に、少なくとも一つの時分割状態マシンを備えて、無線送受信機の協調制御を容易にする。これらの実施態様のいくつかにおいては、前記無線装置は更に、少なくとも一つの時分割マシンと協動する作業負荷モニタを備えて、二つのプロトコルの送信および受信作業負荷に少なくとも部分的に基いて、協調制御を容易に適応可能に実行する。
種々の実施態様において、前記プロトコルは、Ｂｌｕｅｔｏｏｔｈ、８０２．１１  ＦＨ、８０２．１１  Ｄ、８０２．１１  Ｈｉｇｈ  Ｄａｔａ  Ｒａｔｅ、ＨｏｍｅＲＦなどの選択された組み合わせが可能である。前記無線装置はまた、二つの無線ネットワークのマスタ装置またはゲートウェイ装置として用いることができる。
【０００９】
本発明は、同一の参照番号が同一の要素を表す添付図面に示された限定的でない代表的実施例により記述される。
【００１０】
（発明の詳細な説明）
以下の説明においては、本発明の種々の側面が記述される。ただし当業者であれば、本発明は本発明の幾つかの側面のみまたは全ての側面を以て実施され得ることは明らかであろう。尚、説明を目的として本発明の完全な理解を提供するために特定の個数、材料および配置構成が示される。ただし当業者であれば、本発明は特定の詳細なしでも実施され得ることも明らかであろう。他の場合には、本発明を不明瞭としないために公知の特徴は省略もしくは簡素化される。
【００１１】
尚、説明の内の一定の部分は、当業者により一般的に使用されるソフトウェア用語を使用することでそれらの機能の実体を伝えるべく示される。また当業者であれば良好に理解されるように、これらの多数のソフトウェアは、デジタル・システムの機械的および電気的な構成要素により記憶、転送、結合および別様に操作され得る電気的、磁気的または光学的な信号の形態を取り；且つ、”デジタル・システム”という語句は、スタンドアロンの、付加的なまたは内蔵式の汎用ならびに特定用途のプロセッサ、システムなどを包含する。
【００１２】
一方、種々の動作は本発明を理解する最も有用な方法で実施される複数の別個の段階として記述されるが、記述された順序は、記述された段階順序に上記各動作が必ず依存することを意味するものと解釈されてはならない。更に、”一実施例において”という表現が反復して使用されるが、この表現は、同一実施例の場合もあり得るが、必ずしも同一実施例に言及してはいない。
【００１３】
図１を参照すると、一実施例に従い本発明の概観が示される。示されたようにワイヤレスデバイス１００はワイヤレス送受信機１０２ａおよび１０２ｂを備えるが、該ワイヤレス送受信機１０２ａおよび１０２ｂは夫々第１および第２ワイヤレス通信プロトコルに従いワイヤレスで信号を送信および受信することから、デバイス１００はワイヤレスネットワーク１０８ａおよび１０８ｂの夫々の各デバイス１０４ａおよび各デバイス１０４ｂと通信的に接続される。ワイヤレスデバイス１００は更に、ワイヤレス送受信機１０２ａおよび１０２ｂの動作を夫々制御するコントローラマネージャ１０６ａおよび１０６ｂを含む。以下に更に詳細に記述されるようにコントローラマネージャ１０６ａおよび１０６ｂは本発明に従い協調して（ｃｏｏｒｄｉｎａｔｅｄ  ｍａｎｎｅｒ）ワイヤレス送受信機１０２ａおよび１０２ｂによる送信および受信を制御することから、ワイヤレスデバイス１００はワイヤレスネットワーク１０８ａおよび１０８ｂの各デバイス１０４ａおよび各デバイス１０４ｂを夫々のワイヤレス通信プロトコルに従い同時に操作し得る。
【００１４】
一実施例において、ワイヤレス送受信機１０２ａおよび１０２ｂ（以下では単に送受信機）による送信および受信は協調してコントローラマネージャ１０６ａおよび１０６ｂが制御する。より詳細には該実施例においてコントローラマネージャ１０６ａおよび１０６ｂは送受信機１０２ａおよび１０２ｂを制御することで、これらの２個の送受信機の一方による送信と２個の送受信機の両者による受信とを交互に行う。図２は、該実施例に依る動作の間隔を示している。示されたように持続時間ｔ１に対する時間間隔Ｔ１において、コントローラマネージャ１０６ａは上記第１ワイヤレス通信プロトコル（以下では単にプロトコル）に従いワイヤレスネットワーク１０８ａ（以下では単にネットワーク）の各デバイス１０４ａに対する信号の送信を実施するために送受信機１０２ａを制御する一方、コントローラマネージャ１０６ｂはネットワーク１０８ｂの各デバイス１０４ｂに対する信号の送信および受信のいずれも実施しない様に送受信機１０２ｂを制御する。持続時間ｔ３に対する時間間隔Ｔ３においては、上記の逆が実施される。すなわちコントローラマネージャ１０６ｂは上記第２プロトコルにに従いワイヤレスネットワーク１０８ｂの各デバイス１０４ｂに対する信号の送信を実施するために送受信機１０２ｂを制御する一方、コントローラマネージャ１０６ａはネットワーク１０８ａの各デバイス１０４ａに対する信号の送信および受信のいずれも実施しない様に送受信機１０２ａを制御する。持続時間ｔ２およびｔ４に対する時間間隔Ｔ２およびＴ４においてコントローラマネージャ１０６ａおよび１０６ｂは、夫々のプロトコルに従いワイヤレスネットワーク１０８ａおよび１０８ｂの各デバイス１０４ａおよび１０４ｂからの信号の受信を実施するために送受信機１０２ａおよび１０２ｂの両者を制御する。
【００１５】
全てのワイヤレスプロトコルはキャリア・センス（ｃａｒｒｉｅｒ  ｓｅｎｓｅ）またはコンテンション・フリー（ｃｏｎｔｅｎｔｉｏｎ  ｆｒｅｅ）プロトコルのいずれかで動作することから、各デバイス１０４ａは時間間隔Ｔ１においては受信を行い得ると共に、時間間隔Ｔ２乃至Ｔ４においては、送信すべきパケットが在れば送信を行いその他の場合には受信を行い得る。同様に、各デバイス１０４ｂは時間間隔Ｔ３においては受信を行い、時間間隔Ｔ１、Ｔ２およびＴ４においては、送信すべきパケットが在れば送信を行いその他の場合には受信を行い得る。
【００１６】
故にワイヤレスデバイス１００は、同時に２つのワイヤレスプロトコルでワイヤレスネットワーク１０８ａおよび１０８ｂの各デバイス１０４ａおよび１０４ｂを操作し得る。
【００１７】
尚、時間間隔Ｔ１〜Ｔ４は持続時間が等しくても良くそうでなくても良い。すなわち、数値的にｔ１〜ｔ４は等しくても良くそうでなくても良い。以下に更に詳細に記述されるように該実施例の種々の変更例において、時間間隔Ｔ１〜Ｔ４の持続時間ｔ１〜ｔ４は動的かつ適応的に設定される。特に一定の変更例において時間間隔Ｔ１〜Ｔ４の持続時間ｔ１〜ｔ４は、少なくとも部分的にネットワーク１０８ａおよび１０８ｂの送信および受信の作業負荷に基づき適応的に設定される。
【００１８】
図１に戻ると、上述した送受信機１０２ａおよび１０２ｂによる協調の動作を実施するためにワイヤレスデバイス１００に取入れられた本発明の教示を除き、送受信機１０２ａおよび１０２ｂならびにコントローラマネージャ１０６ａおよび１０６ｂは業界公知の広範囲なこれらの要素を表すことが意図される。故に、以下において更に記述される本発明の教示を除き、送受信機１０２ａおよび１０２ｂおよびコントローラマネージャ１０６ａおよび１０６ｂの更なる記述は行われない。
【００１９】
ワイヤレスデバイス１００は、同時に２つ以上のワイヤレス通信プロトコルで他のワイヤレスデバイスをワイヤレス操作する能力を有することで利益を受け得る広範囲なデバイスを表すことが意図される。デバイス１００の例としては限定的なものとしてで無く、デスクトップ、ノートブック、パーム（ｐａｌｍ）サイズなどの種々の形態要因のコンピュータ；ネットワーク１０８ａおよび１０８ｂの動作を管理および制御する制御器デバイス（すなわちマスタ・デバイス）、および、各デバイス１０４ａおよび各デバイス１０４ｂ間の通信を容易にするゲートウェイ・デバイスが挙げられる。
【００２０】
同様に、デバイス１０４ａおよび１０４ｂはワイヤレスで通信し得ることで利益を受け得る広範囲なデバイスを表すことが意図される。デバイス１０４ａの例としては限定的なものとしてで無く、ブルートゥース・プロトコルに従うワイヤレス通信を行い得る電話、ビデオカメラ、スピーカ、モデム、プリンタおよびスキャナが挙げられる。デバイス１０４ｂの例としては、ＩＥＥＥ８０２．１１プロトコルまたはホームＲＦの選択変更例に従うワイヤレス通信を行い得るクライアント、サーバ、ならびに、ゲートウェイ、モデム、ハブ、ルータおよびスィッチが挙げられる。
【００２１】
図１においては理解を容易にするために、第１および第２ワイヤレス通信プロトコルに従い通信を行う２群のデバイス１０４ａおよび１０４ｂのみが示される。ただし当業者であれば、（各送受信機が同様に協調調整される限りにおいて）２台より多い送受信機により本発明が実施され得ることは以下の記述から容易に明らかであろう。
【００２２】
次に図３および図４を参照すると、一実施例に従い図１のワイヤレスデバイス１００を更に詳細に示すブロック図および状態図が示される。示されたようにワイヤレスデバイス１００のコントローラマネージャ１０６ａ／１０６ｂは、上述の協調して送受信機１０２ａ／１０２ｂを制御するために該コントローラマネージャ１０６ａ／１０６ｂを相補的に支援する状態マシン３００ａ／３００ｂを備えている。より詳細には各状態マシン３００ａ／３００ｂは、アイドル状態４１０に加え、そのコントローラマネージャ１０６ａ／１０６ｂのための送信（ＴＸ）動作、受信（ＲＸ）動作および無動作（ＮＯＰ）の内から選択された動作を意味する信号３０４ａ／３０４ｂを出力する４つの動作状態４１２〜４１８を有する。
【００２３】
電源投入もしくはリセット時に各状態マシン３００ａ／３００ｂは、配置構成（ｃｏｎｆｉｇ）信号３０２ａ／３０２ｂの状態に依存して、アイドル状態４１０からＴＸ状態４１２もしくはＮＯＰ状態４１６へと遷移する。たとえば３００ａなどの一方の状態マシンは、アイドル状態４１０からＴＸ状態４１２へと遷移するために設定される一方、３００ｂなどの他方の状態マシンはアイドル状態４１０からＴＸ状態４１２へと遷移すべく設定される。ｃｏｎｆｉｇ信号３０２ａ／３０２ｂはたとえば、ジャンパまたは他の等価手段ならびにソフトウェアを介して設定され得る。
【００２４】
ＴＸ状態４１２に在る間、状態マシン３００ａ／３００ｂは持続時間ｔｓ１に対する状態に留まり、そのコントローラマネージャ１０２６ａ／１０６ｂに対するＴＸ動作を意味する信号３０４ａ／３０４ｂを出力する。ｔ１およびｔ３が異なる値を取るという一実施例において、たとえば３００ａなどの一方の状態マシンはｔ１にセットされるｔｓ１により設定され、３００ｂなどの他方の状態マシンはｔ３にセットされるｔｓ１により設定される。ｔｓ１は、たとえば別体のレジスタもしくは乗算回路などの業界公知の多数の技術の任意のひとつにより選択的に設定され得る。ｔｓ１の満了時に、状態マシン３００ａ／３００ｂはＴＸ状態４１２からＲＸ１状態４１４へと遷移する。
【００２５】
ＲＸ１状態４１４に在る間、状態マシン３００ａ／３００ｂは持続時間ｔｓ２に対する状態に留まり、そのコントローラマネージャ１０６ａ／１０６ｂに対するＲＸ動作を意味する信号３０４ａ／３０４ｂを出力する。ｔ２およびｔ４が異なる値を取るという一実施例において、たとえば３００ａなどの一方の状態マシンはｔ２にセットされるｔｓ２により設定され、３００ｂなどの他方の状態マシンはｔ４にセットされるｔｓ２により設定される。ｔｓ２は、業界公知の多数の技術の任意のひとつにより選択的に設定され得る。ｔｓ２の満了時に、状態マシン３００ａ／３００ｂはＲＸ１状態４１４からＮＯＰ状態４１６へと遷移する。
【００２６】
ＮＯＰ状態４１６に在る間、状態マシン３００ａ／３００ｂは持続時間ｔｓ３に対する状態に留まり、そのコントローラマネージャ１０６ａ／１０６ｂに対するＮＯＰを意味する信号３０４ａ／３０４ｂを出力する。ｔ１およびｔ３が異なる値を取るという一実施例において、たとえば３００ａなどの一方の状態マシンはｔ３にセットされるｔｓ３により設定され、３００ｂなどの他方の状態マシンはｔ１にセットされるｔｓ３により設定される。ｔｓ３は、業界公知の多数の技術の任意のひとつにより選択的に設定され得る。ｔｓ３の満了時に、状態マシン３００ａ／３００ｂはＮＯＰ状態４１６からＲＸ２状態４１８へと遷移する。
【００２７】
ＲＸ２状態４１８に在る間、状態マシン３００ａ／３００ｂは持続時間ｔｓ４に対する状態に留まり、そのコントローラマネージャ１０６ａ／１０６ｂに対するＲＸ動作を意味する信号３０４ａ／３０４ｂを出力する。ｔ２およびｔ４が異なる値を取るという一実施例において、たとえば３００ａなどの一方の状態マシンはｔ４にセットされるｔｓ４により設定され、３００ｂなどの他方の状態マシンはｔ２にセットされるｔｓ４により設定される。ｔｓ４は、業界公知の多数の技術の任意のひとつにより選択的に設定され得る。ｔｓ４の満了時に、状態マシン３００ａ／３００ｂはＲＸ２状態４１８からＴＸ状態４１２へと遷移する。
【００２８】
ＴＸ状態４１２から、状態マシン３００ａ／３００ｂは前述の如き動作を継続する。
【００２９】
次に図５および図６を参照すると、別実施例に従い図１のワイヤレスデバイス１００を更に詳細に示すブロック図および状態図が示される。示されたように該実施例に対しては、上記の協調して送受信機１０２ａ／１０２ｂを制御するために該コントローラマネージャ１０６ａ／１０６ｂを相補的に支援する状態マシンをワイヤレスデバイス１００の各コントローラマネージャ１０６ａ／１０６ｂが備える代わりに、ワイヤレスデバイス１００はコントローラマネージャ１０６ａおよび１０６ｂの両者を支援する単一の状態マシン５００を備えている。同様に、状態マシン５００はアイドル状態６１０に加え、そのコントローラマネージャ１０６ａおよび１０６ｂに対するＮＯＰとＴＸ、両者ともにＲＸ、および、ＴＸとＮＯＰという動作の選択組合せを意味する一対の信号５０４ａ乃至５０４ｂを出力する４つの動作状態６１２〜６１８（Ｓ１〜Ｓ４）を有する。
【００３０】
電源投入もしくはリセット時に、状態マシン５００はアイドル状態６１０からＳ１状態６１２へと遷移する。Ｓ１状態６１２に在る間、状態マシン５００は持続時間ｔｓ１に対する状態に留まり、コントローラマネージャ１０６ａおよび１０６ｂに対するＴＸおよびＮＯＰを意味する信号５０４ａ、５０４ｂを出力する。ｔｓ１はｔ１にセットされる。ｔｓ１の満了時に、状態マシン５００はＳ１状態６１２からＳ２状態６１４へと遷移する。Ｓ２状態６１４に在る間、状態マシン５００は持続時間ｔｓ２に対する状態に留まり、コントローラマネージャ１０６ａおよび１０６ｂの両者に対するＲＸを意味する信号５０４ａ、５０４ｂを出力する。ｔｓ２はｔ２にセットされる。ｔｓ２の満了時に、状態マシン５００はＳ２状態６１４からＳ３状態６１６へと遷移する。
【００３１】
Ｓ３状態６１６に在る間、状態マシン５００はｔｓ３に対する状態に留まり、コントローラマネージャ１０６ａおよび１０６ｂに対するＮＯＰおよびＴＸを意味する信号５０４ａ、５０４ｂを出力する。ｔｓ３はｔ３にセットされる。ｔｓ３の満了時に、状態マシン５００はＳ３状態６１６からＳ４状態６１８へと遷移する。Ｓ４状態６１８に在る間、状態マシン５００は持続時間ｔｓ４に対する状態に留まり、コントローラマネージャ１０６ａおよび１０６ｂの両者に対するＲＸを意味する信号５０４ａ、５０４ｂを出力する。ｔｓ４はｔ４にセットされる。ｔｓ４の満了時に、状態マシン５００はＳ４状態６１８からＳ１状態６１２へと遷移する。
【００３２】
Ｓ１状態６１２から、状態マシン５００は前述の如き動作を継続する。
次に図７を参照すると、更なる別実施例に従い図１のワイヤレスデバイス１００を更に詳細に示すブロック図および状態図が示される。示されたように該実施例に対しては、ワイヤレスデバイス１００が前述のように（ＴＸ−ＮＯＰ、ＲＸ−ＲＸまたはＮＯＰ−ＴＸを意味する信号７０８ａ、７０８ｂにより）コントローラマネージャ１０６ａおよび１０６ｂの両者を支援すべき単一の状態マシン７００を備えることに加え、該ワイヤレスデバイス１００は更に、示されたように相互にかつ状態マシン７００に対して作用的に連結されたレジスタ７０２、時分割マネージャ（ｔｉｍｅ  ｓｈａｒｉｎｇ  ｍａｎａｇｅｒ）７０４および作業負荷モニタ７０６を備えている。レジスタ７０２は状態マシン７００に対するｔ１〜ｔ４を記憶する。時分割マネージャ７０４はｔ１〜ｔ４を動的に調節することから、状態マシン７００は送受信機１０２ａおよび１０２ｂを制御する上でコントローラマネージャ１０６ａおよび１０６ｂを適応的に支援し得る。図示実施例に対して時分割マネージャ７０４は、少なくとも部分的にネットワーク１０８ａおよび１０８ｂの送信および受信の作業負荷に基づき、ｔ１〜ｔ４を動的に調節する。送信および受信作業負荷は作業負荷モニタ７０６により監視され、時分割マネージャ７０４に対して提供される。
【００３３】
レジスタ７０２は、業界公知の任意の記憶回路により構成され得る。時分割マネージャ７０４および作業負荷モニタ７０６は、ロジックまたはソフトウェアの任意の組合せにより実施され得る。
【００３４】
以上、複数のワイヤレス通信プロトコルによって確実にスムースに動作する無線装置について述べた。本発明は上記実施態様について述べたが、本発明がこれらの実施態様に限定されないことは当業者にとって明らかである。本発明は添付の請求項の精神と範囲内で変更可能である。本記述は、従って、本発明を説明するものであって制限するものではない。
【図面の簡単な説明】
【図１】
一実施例に基づく、本発明の複数の協調送受信機を有するワイヤレスデバイスを示す図である。
【図２ａ】
一実施例に基づく、命令ブロックの関連動作フローを示す図である。
【図２ｂ】
一実施例に基づく、命令ブロックの関連動作フローを示す図である。
【図３】
他の実施例に基づく、命令ブロックの１つの関連動作フローを示す図である。
【図１】
2004520726.tif 000003
【図２】
2004520726.tif 000004
【図３】
2004520726.tif 000005
【図４】
2004520726.tif 000006
【図５】
2004520726.tif 000007
【図６】
2004520726.tif 000008
【図７】
2004520726.tif 000009
【国際公開パンフレット】
2004520726.tif 000010
2004520726.tif 000011
2004520726.tif 000012
2004520726.tif 000013
2004520726.tif 000014
2004520726.tif 000015
2004520726.tif 000016
2004520726.tif 000017
2004520726.tif 000018
2004520726.tif 000019
2004520726.tif 000020
2004520726.tif 000021
2004520726.tif 000022
2004520726.tif 000023
2004520726.tif 000024
2004520726.tif 000025
2004520726.tif 000026
2004520726.tif 000027
2004520726.tif 000028
2004520726.tif 000029
2004520726.tif 000030
【国際調査報告】
2004520726.tif 000031
2004520726.tif 000032